(57)【要約】【課題】視標の呈示対象を被検者に悟られることなく自覚式検眼を行う。【解決手段】実施形態の自覚式検眼装置は、複数の部分領域が予め設定された視標表示領域を含み各部分領域に視標を表示可能な視標表示部と、部分領域を選択するための部分領域選択指示と、視標の呈示対象を左、右及び両被検眼のうちから選択するための呈示対象選択指示とを受け付けるユーザインターフェイスと、選択された呈示対象に対する視標を選択された部分領域に表示させるように視標表示部を制御する視標表示制御部とを有する。ユーザインターフェイスは、表示部と、部分領域選択指示と呈示対象選択指示とが受け付けられたことに対応し、いずれかの部分領域に新たに表示された視標の呈示対象が左、右及び両被検眼のうちのいずれであるかを表す検査情報を表示部に表示させる検査情報表示制御部とを含む。【選択図】図２
2018164828.tif 000002
【特許請求の範囲】
【請求項１】
複数の部分領域が予め設定された視標表示領域を含み、前記複数の部分領域のそれぞれに視標を表示可能な視標表示部と、
前記複数の部分領域のうち少なくとも１つを選択するための部分領域選択指示と、視標の呈示対象を左被検眼、右被検眼及び両被検眼のうちから選択するための呈示対象選択指示とを受け付けるユーザインターフェイスと、
前記部分領域選択指示によって選択されたそれぞれの部分領域に、前記呈示対象選択指示によって選択された呈示対象に対する視標を表示させるように前記視標表示部を制御する視標表示制御部と
を有し、
前記ユーザインターフェイスは、
表示部と、
前記部分領域選択指示と前記呈示対象選択指示とが受け付けられたことに対応し、前記複数の部分領域のいずれかに新たに表示された視標の呈示対象が前記左被検眼、前記右被検眼及び前記両被検眼のうちのいずれであるかを表す検査情報を前記表示部に表示させる検査情報表示制御部と
を含む
ことを特徴とする自覚式検眼装置。
【請求項２】
前記視標表示制御部は、
前記複数の部分領域のそれぞれと前記呈示対象とが関連付けられた関連情報を予め記憶する関連情報記憶部を含み、
前記関連情報に基づいて、前記視標表示部を制御する
ことを特徴とする請求項１に記載の自覚式検眼装置。
【請求項３】
前記関連情報記憶部は、複数の前記関連情報を予め記憶し、
前記ユーザインターフェイスは、複数の前記関連情報のうち１つを選択するための関連情報選択指示を、前記部分領域選択指示と前記呈示対象選択指示とを兼ねる指示として受け付け、
前記視標表示制御部は、前記関連情報選択指示によって選択された前記関連情報に基づいて、前記視標表示部を制御する
ことを特徴とする請求項２に記載の自覚式検眼装置。
【請求項４】
前記視標表示制御部は、前記複数の部分領域のそれぞれに表示された前記視標の前記呈示対象の履歴を記憶する履歴記憶部を含む
ことを特徴とする請求項１に記載の自覚式検眼装置。
【発明の詳細な説明】
【技術分野】
【０００１】
この発明は、自覚式検眼装置に関する。
【背景技術】
【０００２】
自覚式検眼装置は、被検眼に視標を呈示し、その見え方に関する被検者からの応答に基づいて被検眼の視機能を検査するための装置である。
【０００３】
自覚式検眼装置による検査において、視標の呈示対象（左被検眼、右被検眼又は両被検眼）を被検者に意識させずに視標を呈示したい場合、すなわち、視標の呈示対象が、左被検眼、右被検眼及び両被検眼のいずれであるかを被検者に悟らせずに検査したい場合がある。この場合の検査の例として、片眼の詐盲や心因性視力障害の検査が挙げられる。これら検査における検査方法の１つとして、ピンホール法が知られている。この方法は、健眼を不完全遮蔽し、両眼の眼前にピンホールを配置した状態で両眼開放検査を行う方法である。また、偏光軸が直交する偏光フィルムがピクセルのラインごとに交互に配置された表示デバイスと、これら偏光フィルタに応じた偏光軸を有し眼前に配置される偏光フィルタとを用いることにより、左右眼に異なる視標を呈示するよう構成された自覚式検眼装置が知られている。
【先行技術文献】
【特許文献】
【０００４】
【特許文献１】特開２００９−６０９４１号公報
【非特許文献】
【０００５】
【非特許文献１】長島弘明、他４名、「Ｂｉｌａｔｅｒａｌ  ｐｉｎｈｏｌｅ法が診断に有効であった３例」、臨床眼科、医学書院、第６５巻第６号、ｐ７９９−８０２
【発明の概要】
【発明が解決しようとする課題】
【０００６】
しかしながら、ピンホール法は、手順が複雑であるので、被検者に悟らせずに呈示対象を変更しながら検査を行うには熟練が必要であった。また、偏光フィルタを用いた従来の自覚式検眼装置においては、呈示対象が異なる複数の視標をピクセルラインに平行な方向に並べて表示することができなかった。そのため、被検者に呈示対象が悟られてしまうおそれがあった。
【０００７】
この発明は、このような問題を解決するためになされたものであり、その目的は、視標の呈示対象を被検者に悟られることなく自覚式検眼を行うための技術を提供することである。
【課題を解決するための手段】
【０００８】
実施形態に係る自覚式検眼装置は、複数の部分領域が予め設定された視標表示領域を含み、前記複数の部分領域のそれぞれに視標を表示可能な視標表示部と、前記複数の部分領域のうち少なくとも１つを選択するための部分領域選択指示と、視標の呈示対象を左被検眼、右被検眼及び両被検眼のうちから選択するための呈示対象選択指示とを受け付けるユーザインターフェイスと、前記部分領域選択指示によって選択されたそれぞれの部分領域に、前記呈示対象選択指示によって選択された呈示対象に対する視標を表示させるように前記視標表示部を制御する視標表示制御部とを有し、前記ユーザインターフェイスは、表示部と、前記部分領域選択指示と前記呈示対象選択指示とが受け付けられたことに対応し、前記複数の部分領域のいずれかに新たに表示された視標の呈示対象が前記左被検眼、前記右被検眼及び前記両被検眼のうちのいずれであるかを表す検査情報を前記表示部に表示させる検査情報表示制御部とを含むことを特徴とする。
【発明の効果】
【０００９】
この発明によれば、視標の呈示対象を被検者に悟られることなく自覚式検眼を行うための技術を提供することが可能である。
【図面の簡単な説明】
【００１０】
【図１】実施形態に係る自覚式検眼装置の外観を表す模式図。
【図２】実施形態に係る自覚式検眼装置の構成を表すブロック図。
【図３】実施形態に係る自覚式検眼装置の概略を表す模式図。
【図４】実施形態に係る自覚式検眼装置の概略を表す模式図。
【図５】実施形態に係る自覚式検眼装置の概略を表す模式図。
【図６】実施形態に係る自覚式検眼装置の概略を表す模式図。
【図７】実施形態に係る自覚式検眼装置の動作を表すフローチャート。
【図８】実施形態に係る自覚式検眼装置の構成を表すブロック図。
【図９】実施形態に係る自覚式検眼装置の概略を表す模式図。
【図１０】実施形態に係る自覚式検眼装置の概略を表す模式図。
【図１１】実施形態に係る自覚式検眼装置の動作を表すフローチャート。
【図１２】実施形態に係る自覚式検眼装置の概略を表す模式図。
【図１３】実施形態に係る自覚式検眼装置の概略を表す模式図。
【図１４】実施形態に係る自覚式検眼装置の動作を表すフローチャート。
【図１５】実施形態に係る自覚式検眼装置の構成を表すブロック図。
【図１６】実施形態に係る自覚式検眼装置の概略を表す模式図。
【図１７】実施形態に係る自覚式検眼装置の動作を表すフローチャート。
【発明を実施するための形態】
【００１１】
〈第１の実施形態〉
［構成］
第１の実施形態に係る自覚式検眼装置の構成について説明する。図１は、本実施形態に係る自覚式検眼装置の外観を表す模式図である。図２は、本実施形態に係る自覚式検眼装置の構成を表すブロック図である。図３は、駆動機構１１及び視標表示部２の概略を表す模式図である。自覚式検眼装置は、検眼ユニット１、視標表示部２及び操作装置３を有する。例えば、自覚式検眼装置は、検眼テーブル４に備えられる。
【００１２】
検眼テーブル４は、検眼ユニット１の支持や操作装置３の載置のための机である。例えば、検眼テーブル４には、支柱５が立った状態で設けられる。支柱５は、その長手方向に伸縮可能に構成される。支柱５は、横アーム６を支持する。横アーム６は、支柱５と反対側の端部（先端部と称する）において、検眼ユニット１を懸架する。横アーム６の先端部には、操作アーム７が、この先端部から突出するように設けられる。操作アーム７は、検者による操作を受け、横アーム６及び検眼ユニット１と共に、支柱５の軸回り方向（矢印ａ，ｂ方向）に回動可能である。なお、検眼テーブル４の近傍には、被検者ＳＵ用の椅子８が備えられてもよい。
【００１３】
（検眼ユニット１）
検眼ユニット１は、検眼窓９に複数の光学素子１０を選択的に配置可能である。被検眼は、検眼窓９に臨んで配置される。それにより、被検眼は、配置された光学素子１０を介して視標を見ることができる。検眼ユニット１は、左被検眼ＥＬ用の左被検眼ユニット１Ｌと右被検眼ＥＲ用の右被検眼ユニット１Ｒとを備える。左被検眼ユニット１Ｌ及び右被検眼ユニット１Ｒは、水平方向（図１に示す矢印Ａ１方向）にそれぞれスライド可能に備えられる。
【００１４】
左被検眼ユニット１Ｌは、左被検眼用検眼窓９Ｌを備える。左被検眼ユニット１Ｌは、左被検眼用検眼窓９Ｌに左被検眼用光学素子１０Ｌを選択的に配置可能である。右被検眼ユニット１Ｒは、右被検眼用検眼窓９Ｒを備える。右被検眼ユニット１Ｒは、右被検眼用検眼窓９Ｒに右被検眼用光学素子１０Ｒを選択的に配置可能である。左被検眼ユニット１Ｌ及び右被検眼ユニット１Ｒは、個別に動作可能に構成される。検眼ユニット１は、複数の光学素子１０と駆動機構１１とを有する。
【００１５】
（光学素子１０）
複数の光学素子１０（１０Ｌ，１０Ｒ）は、被検眼の視機能を検査するための各種レンズ及び偏光フィルタからなる集合である。例えば、複数の光学素子１０は、球面レンズ、円柱レンズ、累進レンズ及びプリズムレンズのうち少なくとも１つを含む。複数の光学素子１０は、検眼パラメータの種別ごとに組分けされる。偏光フィルタは、左被検眼用偏光フィルタ及び右被検眼用偏光フィルタを含む。左被検眼用偏光フィルタは、左被検眼用光学素子１０Ｌに含まれる。右被検眼用偏光フィルタは、右被検眼用光学素子１０Ｒに含まれる。左被検眼用偏光フィルタ及び右被検眼用偏光フィルタは、互いの偏光軸が直交するように設けられる。
【００１６】
検眼パラメータは、被検眼の視機能を検査するための検査条件を示すものである。例えば、検眼パラメータの種別は、球面度数、乱視度数、乱視軸角度、加入度数、瞳孔間距離、プリズム度数及びプリズム方向のうち少なくとも１つを含む。検眼パラメータの種別ごとの組分けとして、球面度数の組は、複数の球面レンズを含み、それぞれ異なる球面度数の球面レンズにより構成される。乱視度数の組は、複数の円柱レンズを含み、それぞれ異なる乱視度数の円柱レンズにより構成される。なお、乱視度数の組は、さらに乱視軸角度ごとに組分けされてもよい。加入度数の組は、複数の累進レンズを含み、それぞれ異なる加入度数の累進レンズにより構成される。プリズム度数の組は、複数のプリズムレンズを含み、それぞれ異なるプリズム度数のプリズムレンズにより構成される。なお、プリズム度数の組は、さらにプリズム方向ごとに組分けされてもよい。瞳孔間距離は、被検眼の瞳孔間距離に合わせて設定される検査条件である。瞳孔間距離は、左被検眼ユニット１Ｌ若しくは右被検眼ユニット１Ｒ又はこれら双方が、水平方向（図１の矢印Ａ１方向）にスライドすることにより設定される。
【００１７】
（駆動機構１１）
駆動機構１１（１１Ｌ，１１Ｒ）は、複数の光学素子１０のそれぞれを検眼窓９に配置させ、且つ、検眼窓９から退避させることが可能に構成される。例えば、駆動機構１１は、複数のターレット板を有する。ターレット板は、円板形状である。ターレット板は、駆動機構１１において、円の中心を軸として円周回りに回転可能に構成される。ターレット板は、縁の近傍に複数の孔ｈを有する。孔ｈには、光学素子１０が嵌め込まれている。駆動機構１１は、ターレット板を回転させることにより、複数の光学素子１０のそれぞれを検眼窓９に配置させ、且つ、検眼窓９から退避させる。
【００１８】
なお、駆動機構１１は、左被検眼用駆動機構１１Ｌと右被検眼用駆動機構１１Ｒとを有する。左被検眼用駆動機構１１Ｌは、複数の左被検眼用光学素子１０Ｌのそれぞれを左被検眼用検眼窓９Ｌに配置させ、且つ、左被検眼用検眼窓９Ｌから退避させることが可能に構成される。右被検眼用駆動機構１１Ｒは、複数の右被検眼用光学素子１０Ｒのそれぞれを右被検眼用検眼窓９Ｒに配置させ、且つ、右被検眼用検眼窓９Ｒから退避させることが可能に構成される。左被検眼用駆動機構１１Ｌは、左被検眼ユニット１Ｌに備えられる。右被検眼用駆動機構１１Ｒは、右被検眼ユニット１Ｒに備えられる。
【００１９】
（視標表示部２）
視標表示部２は、検眼ユニット１の前方の所定距離Ｄの位置に配置される。視標表示部２は、視標を表示することによって、被検眼に視標を呈示する。視標表示部２は、操作装置３からの制御信号を受けることによって、視力検査視標、赤緑検査視標、乱視検査視標等の視標を表示する。
【００２０】
視標表示部２は、複数の部分領域が予め設定された視標表示領域Ｃを含み、複数の部分領域のそれぞれに視標を表示可能に構成される。図４は、視標表示部２の概略を表す模式図である。視標表示部２は、液晶ディスプレイや有機ＥＬ（Ｅｌｅｃｔｒｏ‐Ｌｕｍｉｎｅｓｃｅｎｃｅ）ディスプレイ等の表示デバイスによって構成される。視標表示領域Ｃには、ピクセル（画素）がアレイ状に配列される。視標表示領域Ｃの前面側（被検者側）には、偏光フィルタが設けられる。例えば、部分領域は、視標表示領域Ｃが定められた数に分割された個々の領域である。
【００２１】
偏光フィルタは、第１の偏光軸に偏光して光を透過させる第１の偏光フィルタＦ１と、第１の偏光軸に直交する第２の偏光軸に偏光して光を透過させる第２の偏光フィルタＦ２とを含んで構成される。第１の偏光フィルタＦ１及び第２の偏光フィルタＦ２は、ピクセルの配列における縦方向かつ横方向に交互に設けられる。
【００２２】
第１の偏光軸と第２の偏光軸とのうち一方は、左被検眼用偏光フィルタの偏光軸に平行である。他方は、右被検眼用偏光フィルタの偏光軸に平行である。それにより、検査が行われているとき、第１の偏光フィルタＦ１と第２の偏光フィルタＦ２とのうち一方が設けられた視標表示領域Ｃからの光は、左被検眼ＥＬに到達する。同様に、他方が設けられた視標表示領域Ｃからの光は、右被検眼ＥＲに到達する。ここでは、第１の偏光軸が左被検眼用偏光フィルタの偏光軸に平行であり、第２の偏光軸が右被検眼用偏光フィルタの偏光軸に平行である例について説明する。この例では、第１の偏光フィルタＦ１が設けられた視標表示領域Ｃからの光は、左被検眼ＥＬに到達する。同様に、第２の偏光フィルタＦ２が設けられた視標表示領域Ｃからの光は、右被検眼ＥＲに到達する。
【００２３】
（操作装置３）
操作装置３は、検者による操作を受け付け、この操作に応じた制御信号を検眼ユニット１若しくは視標表示部２又はこれら双方へ出力する。操作装置３と検眼ユニット１とは、一般的な通信インターフェイスによって、通信可能に接続される。操作装置３は、この通信インターフェイスを介して、制御信号を検眼ユニット１へ出力する。操作装置３と視標表示部２とは、一般的な通信インターフェイスによって、通信可能に接続される。操作装置３は、この通信インターフェイスを介して、制御信号を視標表示部２へ出力する。
【００２４】
操作装置３は、ユーザインターフェイス３０と、視標表示制御部３１と、主制御部３２とを有する。図５は、操作装置３の概略を表す模式図である。例えば、操作装置３は、タブレット型端末として構成される。ここでは、操作装置３が、受付部３０１及び表示部３０２から構成されるタッチパネルを備えたタブレット型端末として構成された例について説明する。
【００２５】
（ユーザインターフェイス３０）
ユーザインターフェイス３０は、複数の部分領域のうち少なくとも１つを選択するための部分領域選択指示と、視標の呈示対象を左被検眼ＥＬ、右被検眼ＥＲ及び両被検眼のうちから選択するための呈示対象選択指示とを受け付ける。ユーザインターフェイス３０は、受付部３０１と、表示部３０２と、検査情報表示制御部３０３とを有する。
【００２６】
（受付部３０１）
受付部３０１は、操作装置３の一面に設けられる。受付部３０１は、検者によるタッチ操作を受付可能に構成される。タッチ操作には、受付部３０１に対するタップ操作、ドラッグ操作及びフリック操作が含まれる。タップ操作は、検者が受付部３０１を叩くように触れる操作である。ドラッグ操作は、検者が受付部３０１に触れたまま、触れた点から他の点まで引きずるように受付部３０１に触れる操作である。フリック操作は、検者が受付部３０１を払うように触れる操作である。例えば、受付部３０１は、静電容量方式、抵抗膜方式、表面弾性波方式などの一般的な受付方式によって、タッチ操作を受け付ける。受付部３０１は、受け付けたタッチ操作の位置（座標）及び接触時間を表すタッチ情報を視標表示制御部３１へ出力する。受付部３０１は、透光性の部材によって構成される。受付部３０１は、表示部３０２の表示画面に重ねて設けられる。
【００２７】
（表示部３０２）
表示部３０２は、液晶ディスプレイや有機ＥＬディスプレイ等の表示デバイスによって構成される。表示部３０２は、検査情報表示制御部３０３による制御に基づいて、検査情報を表す文字や画像を表示画面に表示する。表示部３０２の表示画面に透光性の部材で構成された受付部３０１が重ねて設けられることにより、検者は、表示された検査情報を視認しながらタッチ操作を行うことができる。
【００２８】
（検査情報表示制御部３０３）
検査情報表示制御部３０３は、検査情報を表示部３０２に表示させる。検査情報は、各種検眼パラメータ、及び呈示対象を表す呈示対象情報を含む。また、検査情報表示制御部３０３は、部分領域選択指示を受け付けるための第１のソフトキー及び呈示対象選択指示を受け付けるための第２のソフトキーを表示部３０２に表示させる。検査情報表示制御部３０３は、部分領域選択指示と呈示対象選択指示とが受け付けられたことに対応し、複数の部分領域のいずれかに新たに表示された視標の呈示対象を表す検査情報を表示部３０２に表示させる。
【００２９】
図６は、表示部３０２の表示例を概略的に表す模式図である。検査情報表示制御部３０３は、検眼パラメータＰ、第１のソフトキーＳ１及び第２のソフトキーＳ２を表示部３０２に表示させる。第１のソフトキーＳ１のそれぞれは、視標表示部２の視標表示領域Ｃにおける部分領域及び視標に相当する情報を表す。第１のソフトキーＳ１において、網掛けで表されているものは、視標表示部２に視標が表示されていない部分領域を表す。第１のソフトキーＳ１において、網掛けで表されていないものは、視標表示部２に視標が表示されている部分領域を表す。第２のソフトキーＳ２のそれぞれは、呈示対象を表す。例えば、検者が、部分領域選択指示として第１のソフトキーＳ１のうちのソフトキーＳ１１をタッチし、呈示対象選択指示として第２のソフトキーＳ２のうちのソフトキーＳ２１をタッチする場合がある。この場合、受付部３０１は、これらタッチを受け付けた座標を表すタッチ情報を視標表示制御部３１へ出力する。
【００３０】
（視標表示制御部３１）
視標表示制御部３１は、部分領域選択指示によって選択されたそれぞれの部分領域に、呈示対象選択指示によって選択された呈示対象に対する視標を表示させるように視標表示部２を制御する。視標表示制御部３１は、受付部３０１からのタッチ情報のうち、部分領域選択指示を表すタッチ情報の座標に基づいて部分領域を特定するとともに、呈示対象選択指示を表すタッチ情報の座標に基づいて呈示対象を特定する。視標表示制御部３１は、特定した部分領域に含まれるピクセルを制御して、特定した呈示対象に視標を呈示するように視標表示部２を制御する。例えば、視標表示制御部３１は、ソフトキーＳ１１に相当する部分領域に含まれるピクセルを制御して、当該部分領域における視標の呈示対象を右被検眼ＥＲに変更する。このとき、視標表示制御部３１は、当該部分領域に含まれるピクセルのうち、第１の偏光フィルタＦ１が設けられたピクセルには視標の背景色を表示させ、第２の偏光フィルタＦ２が設けられたピクセルには視標を表示させる。それにより、当該部分領域に新たに表示された視標は、右被検眼ＥＲに呈示される。
【００３１】
なお、視標表示制御部３１は、新たに表示させた視標の部分領域及び呈示対象を表す情報を検査情報表示制御部３０３へ出力する。検査情報表示制御部３０３は、新たに表示された視標の呈示対象を表す検査情報を表示部３０２に表示させる。
【００３２】
（主制御部３２）
主制御部３２は、自覚式検眼装置の各部の制御を行う。主制御部３２は、マイクロプロセッサ、ＲＡＭ、ＲＯＭ、ハードディスクドライブ等を含んで構成される。主制御部３２は、自覚式検眼装置の各部の制御を行うためのコンピュータプログラムを予め記憶する。主制御部３２は、このコンピュータプログラムを実行することにより、各部を制御する。このコンピュータプログラムが表す動作の一例を以下に表す。
【００３３】
［動作］
図７は、この実施形態の動作を表すフローチャートである。
【００３４】
（ステップＳ１０１）
受付部３０１が複数の部分領域のうち少なくとも１つを選択するための部分領域選択指示及び視標の呈示対象を左被検眼ＥＬ、右被検眼ＥＲ及び両被検眼のうちから選択するための呈示対象選択指示を受け付けたとき（Ｙｅｓ）、ステップＳ１０２へ進む。受付部３０１が部分領域選択指示及び呈示対象選択指示を受け付けていないとき（Ｎｏ）、ステップＳ１０１へ戻る。
【００３５】
（ステップＳ１０２）
受付部３０１は、受け付けた部分領域選択指示を表すタッチ情報と呈示対象選択指示を表すタッチ情報とを視標表示制御部３１へ出力する。視標表示制御部３１は、部分領域選択指示によって選択されたそれぞれの部分領域に、呈示対象選択指示によって選択された呈示対象に対応する視標を表示させる。
【００３６】
（ステップＳ１０３）
視標表示制御部３１は、新たに表示させた視標の部分領域及び呈示対象を表す情報を検査情報表示制御部３０３へ出力する。検査情報表示制御部３０３は、新たに表示された視標の呈示対象を表す検査情報を表示部３０２に表示させる。
【００３７】
（ステップＳ１０４）
受付部３０１が部分領域選択指示及び呈示対象選択指示をさらに受け付けたとき（Ｙｅｓ）、ステップＳ１０２へ戻る。受付部３０１が部分領域選択指示及び呈示対象選択指示をさらに受け付けていないとき（Ｎｏ）、この実施形態の動作は終了する。
【００３８】
［効果］
この実施形態の自覚式検眼装置は、視標表示部２と、ユーザインターフェイス３０と、視標表示制御部３１とを有する。視標表示部２は、複数の部分領域が予め設定された視標表示領域Ｃを含み、複数の部分領域のそれぞれに視標を表示可能に構成される。ユーザインターフェイス３０は、複数の部分領域のうち少なくとも１つを選択するための部分領域選択指示と、視標の呈示対象を左被検眼ＥＬ、右被検眼ＥＲ及び両被検眼のうちから選択するための呈示対象選択指示とを受け付ける。視標表示制御部３１は、部分領域選択指示によって選択されたそれぞれの部分領域に、呈示対象選択指示によって選択された呈示対象に対する視標を表示させるように視標表示部２を制御する。このように、検者は、部分領域選択指示によって所望の部分領域を自覚式検眼装置に指示し、さらに、呈示対象選択指示によって所望の呈示対象を自覚式検眼装置に指示しながら検査を行うことができる。それにより、視標の呈示対象を被検者に悟られることなく自覚式検眼を行うための技術を提供することができる。
【００３９】
なお、ユーザインターフェイス３０は、表示部３０２と、検査情報表示制御部３０３とを含んでもよい。検査情報表示制御部３０３は、部分領域選択指示と呈示対象選択指示とが受け付けられたことに対応し、複数の部分領域のいずれかに新たに表示された視標の呈示対象を表す検査情報を表示部３０２に表示させる。それにより、検者は、部分領域及び呈示対象を指示する度に、新たに表示された視標の呈示対象を把握しながら検査を行うことができる。
【００４０】
〈第２の実施形態〉
［構成］
図８は、第２の実施形態に係る自覚式検眼装置の構成を表すブロック図である。この実施形態に係る自覚式検眼装置は、第１の実施形態に係る自覚式検眼装置に対し、視標表示制御部３１とユーザインターフェイス３０との構成が異なる。以下、第１の実施形態に係る自覚式検眼装置と異なる内容について主に説明する。
【００４１】
視標表示制御部３１は、関連情報記憶部３１１を含む。関連情報記憶部３１１は、複数の部分領域のそれぞれと呈示対象とが関連付けられた関連情報を予め記憶する。図９は、関連情報の概略を表す模式図である。関連情報において、呈示対象が部分領域ごとに関連付けられる。図９の例において、１つの升Ｇの位置は、視標表示領域Ｃにおける部分領域を表す。「Ｌ」が関連付けられた部分領域は、左被検眼ＥＬを呈示対象とした視標が表示される部分領域である。「Ｒ」が関連付けられた部分領域は、右被検眼ＥＲを呈示対象とした視標が表示される部分領域である。「Ｂ」が関連付けられた部分領域は、両被検眼を呈示対象とした視標が表示される部分領域である。関連情報記憶部３１１は、複数の関連情報（Ｔ１、Ｔ２、・・・、Ｔｎ；ｎは２以上の整数）を予め記憶する。複数の関連情報は、互いに異なる呈示対象の配列が関連付けられる。
【００４２】
ユーザインターフェイス３０は、複数の関連情報のうち１つを選択するための関連情報選択指示を受け付ける。関連情報選択指示は、第１の実施形態の部分領域選択指示と呈示対象選択指示とを兼ねる指示である。図１０は、この実施形態の表示部３０２の表示例を概略的に表す模式図である。検査情報表示制御部３０３は、関連情報記憶部３１１から関連情報を読み出して、この関連情報を表示部３０２に表示させる。このとき、検査情報表示制御部３０３は、関連情報を視標とともに表示させてもよい。検査情報表示制御部３０３は、関連情報選択指示を受けるための選択ソフトキーＳ３と、表示部３０２に表示させる関連情報を切り替えるタッチ操作を受けるための切替ソフトキーＳ４とを表示部３０２に表示させる。
【００４３】
受付部３０１は、切替ソフトキーＳ４へのタッチ操作を受け付けたとき、このタッチ操作を表すタッチ情報を検査情報表示制御部３０３へ出力する。検査情報表示制御部３０３は、このタッチ情報を受けたとき、他の関連情報を関連情報記憶部３１１から読み出して、この関連情報を表示部３０２に表示させる。それにより、検者は、切替ソフトキーＳ４へのタッチ操作によって、関連情報を切り替え表示させながら所望の関連情報を探すことができる。
【００４４】
受付部３０１は、選択ソフトキーＳ３へのタッチ操作を受け付けたとき、このタッチ操作を表すタッチ情報を検査情報表示制御部３０３へ出力する。このことは、受付部３０１が関連情報選択指示を受け付けることに相当する。関連情報選択指示は、部分領域と呈示対象とが関連付けられた関連情報を選択するものである。したがって、関連情報選択指示は、部分領域選択指示と呈示対象選択指示とを兼ねた指示に相当する。
【００４５】
検査情報表示制御部３０３は、関連情報選択指示に係るタッチ情報を受けたとき、選択された関連情報を識別する識別情報を視標表示制御部３１へ出力する。視標表示制御部３１は、この識別情報を受けたとき、当該関連情報に基づいて視標表示部２を制御する。視標表示制御部３１は、当該関連情報を参照して、部分領域ごとに関連付けられた呈示対象を特定する。視標表示制御部３１は、特定した呈示対象への視標を表示するように部分領域ごとのピクセルを制御する。それにより、視標表示領域Ｃにおいて、関連情報において関連付けられた呈示対象への視標が部分領域ごとに表示される。
【００４６】
［動作］
図１１は、この実施形態の自覚式検眼装置の動作を表すフローチャートである。
【００４７】
（ステップＳ２０１）
受付部３０１が関連情報選択指示を受け付けたとき（Ｙｅｓ）、ステップＳ２０２へ進む。受付部３０１が関連情報選択指示を受け付けていないとき（Ｎｏ）、ステップＳ２０１へ戻る。
【００４８】
（ステップＳ２０２）
受付部３０１は、関連情報選択指示に係るタッチ情報を検査情報表示制御部３０３へ出力する。検査情報表示制御部３０３は、選択された関連情報を識別する識別情報を視標表示制御部３１へ出力する。視標表示制御部３１は、当該関連情報を参照して、部分領域ごとに関連付けられた呈示対象を特定する。
【００４９】
（ステップＳ２０３）
視標表示制御部３１は、特定した呈示対象への視標を表示するように部分領域ごとのピクセルを制御する。それにより、視標表示領域Ｃにおいて、関連情報において関連付けられた呈示対象への視標が部分領域ごとに表示される。
【００５０】
（ステップＳ２０４）
受付部３０１が関連情報選択指示をさらに受け付けたとき（Ｙｅｓ）、ステップＳ２０２へ戻る。受付部３０１が関連情報選択指示をさらに受け付けていないとき（Ｎｏ）、この実施形態の動作は終了する。
【００５１】
［効果］
この実施形態に係る自覚式検眼装置の視標表示制御部３１は、関連情報記憶部３１１を含む。関連情報記憶部３１１は、複数の部分領域のそれぞれと呈示対象とが関連付けられた関連情報を予め記憶する。視標表示制御部３１は、関連情報に基づいて、視標表示部２を制御する。それにより、複数の部分領域についてまとめて呈示対象を指定しながら検査を行うための技術を提供することができる。
【００５２】
また、関連情報記憶部３１１は、複数の関連情報を予め記憶する。ユーザインターフェイス３０は、複数の関連情報のうち１つを選択するための関連情報選択指示を、部分領域選択指示と呈示対象選択指示とを兼ねる指示として受け付ける。視標表示制御部３１は、関連情報選択指示によって選択された関連情報に基づいて、視標表示部２を制御する。この構成により、検者は、関連情報を切り替え表示させながら所望の関連情報を探して、呈示対象の配列を選択することができる。したがって、部分領域と呈示対象とをそれぞれ選択することなく、関連情報を選択する操作に連動して複数の部分領域についてまとめて呈示対象を指定しながら検査を行うための技術を提供することができる。
【００５３】
〈第２の実施形態の変形例〉
［構成］
この変形例の自覚式検眼装置は、第２の実施形態に係る自覚式検眼装置に対し、関連情報記憶部３１１と、ユーザインターフェイス３０と、視標表示制御部３１との構成が異なる。以下、第２の実施形態と異なる内容について主に説明する。
【００５４】
関連情報記憶部３１１は、複数の関連情報と、これら関連情報の適用順序を表す順序情報とを予め記憶する。図１２は、順序情報の概略を表す模式図である。順序情報において、関連情報ごとに適用順序ｋ＝１、２、・・・、ｎ（ｎは２以上の整数）が割り当てられる。
【００５５】
ユーザインターフェイス３０は、適用される関連情報を切り替えるための関連情報切替指示を受け付ける。関連情報切替指示は、部分領域選択指示と呈示対象選択指示とを兼ねる指示である。図１３は、この変形例の表示部３０２の表示例を概略的に表す模式図である。検査情報表示制御部３０３は、関連情報切替指示を受けるための順序ソフトキーＳ５を表示部３０２に表示させる。
【００５６】
受付部３０１は、順序ソフトキーＳ５へのタッチ操作を受け付けたとき、このタッチ操作を表すタッチ情報を視標表示制御部３１へ出力する。このことは、受付部３０１が関連情報切替指示を受け付けることに相当する。関連情報切替指示は、次の順序が割り当てられた関連情報を選択するものである。したがって、関連情報切替指示は、部分領域選択指示と呈示対象選択指示とを兼ねた指示に相当する。
【００５７】
視標表示制御部３１は、関連情報切替指示が受け付けられたことに対応し、順序情報に基づいて次に適用される関連情報を特定し、特定された関連情報に基づいて視標表示部２を制御する。例えば、視標表示制御部３１は、関連情報切替指示に係るタッチ情報を受けたとき、現に適用されている関連情報Ｔｋと順序情報とを参照することによって、現に適用されている関連情報Ｔｋに割り当てられている適用順序ｋを特定する。視標表示制御部３１は、適用順序ｋの次の順序「ｋ＋１」が割り当てられている関連情報「Ｔ（ｋ＋１）」を特定する。視標表示制御部３１は、特定した関連情報「Ｔ（ｋ＋１）」を参照して、部分領域ごとに関連付けられた呈示対象を特定する。視標表示制御部３１は、特定した呈示対象への視標を表示するように部分領域ごとのピクセルを制御する。それにより、視標表示領域Ｃにおいて、次の順序「ｋ＋１」の関連情報「Ｔ（ｋ＋１）」において関連付けられた呈示対象への視標が部分領域ごとに表示される。
【００５８】
現に適用されている関連情報Ｔｋに割り当てられている適用順序ｋが「ｎ」であるとき、視標表示制御部３１は、「１」の適用順序が割り当てられている関連情報Ｔ１を特定する。つまり、関連情報Ｔ１〜関連情報Ｔｎが巡回的に適用される。なお、他の例として、視標表示制御部３１は、関連情報Ｔ１〜関連情報Ｔｎのうちいずれかをランダムに適用してもよい。
【００５９】
［動作］
図１４は、この変形例の自覚式検眼装置の動作を表すフローチャートである。
【００６０】
（ステップＳ３０１）
受付部３０１が関連情報切替指示を受け付けたとき（Ｙｅｓ）、ステップＳ３０２へ進む。受付部３０１が関連情報切替指示を受け付けていないとき（Ｎｏ）、ステップＳ３０１へ戻る。
【００６１】
（ステップＳ３０２）
受付部３０１は、関連情報切替指示に係るタッチ情報を視標表示制御部３１へ出力する。視標表示制御部３１は、現に適用されている関連情報Ｔｋと順序情報とを参照することによって、現に適用されている関連情報Ｔｋに割り当てられている適用順序ｋを特定する。視標表示制御部３１は、適用順序ｋの次の順序「ｋ＋１」が割り当てられている関連情報「Ｔ（ｋ＋１）」を特定する。
【００６２】
（ステップＳ３０３）
視標表示制御部３１は、特定した関連情報「Ｔ（ｋ＋１）」を参照して、部分領域ごとに関連付けられた呈示対象を特定する。
【００６３】
（ステップＳ３０４）
視標表示制御部３１は、特定した呈示対象への視標を表示するように部分領域ごとのピクセルを制御する。それにより、視標表示領域Ｃにおいて、関連情報において関連付けられた呈示対象への視標が部分領域ごとに表示される。
【００６４】
（ステップＳ３０５）
受付部３０１が関連情報切替指示をさらに受け付けたとき（Ｙｅｓ）、ステップＳ３０２へ戻る。受付部３０１が関連情報切替指示をさらに受け付けていないとき（Ｎｏ）、この実施形態の動作は終了する。
【００６５】
［効果］
この変形例に係る自覚式検眼装置の関連情報記憶部３１１は、複数の関連情報と、これら関連情報の適用順序を表す順序情報とを予め記憶する。ユーザインターフェイス３０は、適用される関連情報を切り替えるための関連情報切替指示を、部分領域選択指示と呈示対象選択指示とを兼ねる指示として受け付ける。視標表示制御部３１は、関連情報切替指示が受け付けられたことに対応し、順序情報に基づいて次に適用される関連情報を特定し、特定された関連情報に基づいて視標表示部２を制御する。それにより、例えば、所定の検査手順に係る呈示対象の切替順序を順序情報として予め記憶させておき、関連情報切替指示に係るタッチ操作のような簡便な操作によって、複数の部分領域についてまとめて呈示対象を指定しながら検査を行うための技術を提供することができる。
【００６６】
〈第３の実施形態〉
［構成］
図１５は、第３の実施形態に係る自覚式検眼装置の構成を表すブロック図である。この実施形態に係る自覚式検眼装置は、第１の実施形態に係る自覚式検眼装置に対し、視標表示制御部３１の構成が異なる。以下、第１の実施形態に係る自覚式検眼装置と異なる内容について主に説明する。
【００６７】
視標表示制御部３１は、履歴記憶部３１２を含む。履歴記憶部３１２は、複数の部分領域のそれぞれに表示された視標の呈示対象の履歴を記憶する。履歴記憶部３１２は、部分領域のそれぞれについて、表示された視標の呈示対象を記憶する。例えば、視標表示制御部３１は、視標表示部２に視標を表示させる度に、当該部分領域を表す情報及び当該呈示対象を表す情報を履歴記憶部３１２へ出力する。履歴記憶部３１２は、視標表示制御部３１から当該部分領域を表す情報及び当該呈示対象を表す情報を受ける度に、この部分領域についての呈示対象を新たに加えて記憶する。
【００６８】
図１６は、呈示対象の履歴のデータ構成を概略的に表す模式図である。履歴記憶部３１２は、部分領域（Ｃ１、Ｃ２、・・・Ｃｍ；ｍは１以上の整数）のそれぞれについて、表示された視標の呈示対象を記憶する。図１６の例では、上側に示される呈示対象ほど古い履歴であり、下側に示される呈示対象ほど新しい履歴である。「Ｌ」は、表示された視標の呈示対象が左被検眼ＥＬであることを表す。「Ｒ」は、表示された視標の呈示対象が右被検眼ＥＲであることを表す。「Ｂ」は、表示された視標の呈示対象が両被検眼であることを表す。履歴記憶部３１２は、視標表示制御部３１から部分領域及び当該呈示対象を表す情報を受ける度に、下側に呈示対象を新たに加えて記憶する。なお、履歴記憶部３１２は、検査日ごと、被検者ごと、又は検査日及び被検者ごとに呈示対象の履歴を記憶してもよい。
【００６９】
［動作］
図１７は、この実施形態に係る自覚式検眼装置の動作を表すフローチャートである。
【００７０】
（ステップＳ４０１）
受付部３０１が部分領域選択指示及び呈示対象選択指示を受け付けたとき（Ｙｅｓ）、ステップＳ１０２へ進む。受付部３０１が部分領域選択指示及び呈示対象選択指示を受け付けていないとき（Ｎｏ）、ステップＳ１０１へ戻る。
【００７１】
（ステップＳ４０２）
受付部３０１は、受け付けた部分領域選択指示を表すタッチ情報と呈示対象選択指示を表すタッチ情報とを視標表示制御部３１へ出力する。視標表示制御部３１は、視標表示制御部３１は、部分領域選択指示によって選択されたそれぞれの部分領域に、呈示対象選択指示によって選択された呈示対象に対する視標を表示させる。
【００７２】
（ステップＳ４０３）
視標表示制御部３１は、部分領域選択指示によって選択されたそれぞれの部分領域を表す情報と呈示対象選択指示によって選択された呈示対象を表す情報とを履歴記憶部３１２へ出力する。履歴記憶部３１２は、この部分領域についての呈示対象を新たに加えて記憶する。
【００７３】
（ステップＳ４０４）
受付部３０１が部分領域選択指示及び呈示対象選択指示をさらに受け付けたとき（Ｙｅｓ）、ステップＳ１０２へ戻る。受付部３０１が部分領域選択指示及び呈示対象選択指示をさらに受け付けていないとき（Ｎｏ）、この実施形態の動作は終了する。
【００７４】
［効果］
この実施形態の自覚式検眼装置の視標表示制御部３１は、履歴記憶部３１２を含む。履歴記憶部３１２は、複数の部分領域のそれぞれに表示された視標の呈示対象の履歴を記憶する。それにより、例えば、経過観察のために複数の検査日に亘って検査を行う場合、過去の履歴を参照しながら検査を行うための技術を提供することができる。
【００７５】
本発明のいくつかの実施形態を説明したが、これら実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【００７６】
例えば、本明細書では、左右眼への光の偏光軸を制御する偏向方式によって呈示対象が変更される例を示したが、Ｒ＆Ｇ方式、シャッターめがね方式、波長差方式、視差バリア方式、視差インテグラル方式等によって呈示対象が変更される構成であってもよい。
【符号の説明】
【００７７】
１      検眼ユニット
１Ｌ    左被検眼ユニット
１Ｒ    右被検眼ユニット
２      視標表示部
３      操作装置
４      検眼テーブル
５      支柱
６      横アーム
７      操作アーム
８      椅子
９      検眼窓
９Ｌ    左被検眼用検眼窓
９Ｒ    右被検眼用検眼窓
１０    光学素子
１０Ｌ  左被検眼用光学素子
１０Ｒ  右被検眼用光学素子
１１    駆動機構
１１Ｌ  左被検眼用駆動機構
１１Ｒ  右被検眼用駆動機構
３０    ユーザインターフェイス
３１    視標表示制御部
３２    主制御部
３０１  受付部
３０２  表示部
３０３  検査情報表示制御部
３１１  関連情報記憶部
３１２  履歴記憶部
【図１】
2018164828.tif 000003
【図２】
2018164828.tif 000004
【図３】
2018164828.tif 000005
【図４】
2018164828.tif 000006
【図５】
2018164828.tif 000007
【図６】
2018164828.tif 000008
【図７】
2018164828.tif 000009
【図８】
2018164828.tif 000010
【図９】
2018164828.tif 000011
【図１０】
2018164828.tif 000012
【図１１】
2018164828.tif 000013
【図１２】
2018164828.tif 000014
【図１３】
2018164828.tif 000015
【図１４】
2018164828.tif 000016
【図１５】
2018164828.tif 000017
【図１６】
2018164828.tif 000018
【図１７】
2018164828.tif 000019